【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
入力画像データが対象とする輝度関連値の範囲である第１範囲を表す第１範囲情報を取得する第１取得手段と、
画像表示の際に対象とされる輝度関連値の範囲であり、且つ、前記第１範囲よりも狭い範囲である第２範囲を表す第２範囲情報を取得する第２取得手段と、
前記第１範囲情報と前記第２範囲情報に基づいて、入力画像データの各階調値を変換する第１画像処理を行うことにより、第１処理画像データを生成する第１処理手段と、
前記第１処理画像データに基づく画像を表示する表示手段と、
を有し、
前記第１画像処理は、前記入力画像データの輝度関連値の範囲のうち、前記第２範囲について、前記第２範囲の外側の範囲に比べ、前記第１処理画像データの階調特性として前記入力画像データの階調特性に近い特性が得られるように、前記入力画像データの各階調値を変更する処理である
ことを特徴とする画像表示装置。
【請求項２】
前記第２範囲は、前記画像表示の際に対象とすることができる輝度関連値の最大範囲である
ことを特徴とする請求項１に記載の画像表示装置。
【請求項３】
前記第２範囲情報は、設定可能な複数の表示モードのうち、設定された表示モードに対応する情報である
ことを特徴とする請求項１に記載の画像表示装置。
【請求項４】
前記第１画像処理は、
前記入力画像データの輝度関連値が前記第２範囲の内側の値である画素について、当該輝度関連値と同じ値が、前記第１処理画像データの輝度関連値として得られ、且つ、
前記入力画像データの輝度関連値が前記第２範囲の外側の値である画素について、前記第２範囲の内側の輝度関連値の最大値と同じ値が、前記第１処理画像データの輝度関連値として得られるように、
前記入力画像データの各階調値を変更する処理である
ことを特徴とする請求項１〜３のいずれか１項に記載の画像表示装置。
【請求項５】
前記輝度関連値は、光が物体で反射する際の反射率である
ことを特徴とする請求項１〜４のいずれか１項に記載の画像表示装置。
【請求項６】
前記入力画像データは、撮像装置を用いた撮影によって得られた画像データであり、
前記第１取得手段は、前記撮像装置から前記第１範囲情報を取得する
ことを特徴とする請求項１〜５のいずれか１項に記載の画像表示装置。
【請求項７】
前記第１範囲情報は、前記入力画像データのメタデータであり、
前記第１取得手段は、前記入力画像データから前記第１範囲情報を取得する
ことを特徴とする請求項１〜５のいずれか１項に記載の画像表示装置。
【請求項８】
前記第１範囲情報は、設定可能な複数の入力モードのうち、設定された入力モードに対応する情報である
ことを特徴とする請求項１〜６のいずれか１項に記載の画像表示装置。
【請求項９】
前記入力画像データの階調特性を非線形特性から線形特性に変換する変換処理を行う変換手段をさらに有し、
前記第１画像処理は、前記入力画像データの輝度関連値の範囲のうち、前記第２範囲について、前記第２範囲の外側の範囲に比べ、前記第１処理画像データの階調特性として前記変換処理後の画像データの階調特性に近い特性が得られるように、前記変換処理後の前記画像データの各階調値を変更する処理である
ことを特徴とする請求項１〜８のいずれか１項に記載の画像表示装置。
【請求項１０】
前記輝度関連値と前記輝度との対応関係を表す輝度情報を取得する第３取得手段と、
前記輝度情報に基づく第２画像処理を前記第１処理画像データに施すことにより、第２処理画像データを生成する第２処理手段と、
をさらに有し、
前記第２画像処理は、前記入力画像データの輝度関連値の範囲のうち、前記第２範囲について、画面上の輝度が前記入力画像データの輝度関連値に対応する輝度に近づくように、前記第１処理画像データの各階調値を変更する処理であり、
前記表示手段は、前記第２処理画像データに基づく画像を表示する
ことを特徴とする請求項１〜９のいずれか１項に記載の画像表示装置。
【請求項１１】
前記第２画像処理は、
前記入力画像データの輝度関連値が前記第２範囲の内側の値である画素について、当該輝度関連値に対応する輝度と同じ輝度で表示され、且つ、
前記入力画像データの輝度関連値が前記第２範囲の外側の値である画素について、前記第２範囲の内側の輝度関連値の最大値に対応する輝度と同じ輝度で表示されるように、前記第１処理画像データの各階調値を変更する処理である
ことを特徴とする請求項１０に記載の画像表示装置。
【請求項１２】
前記入力画像データは、撮像装置を用いた撮影によって得られた画像データであり、
前記第３取得手段は、前記撮像装置から前記輝度情報を取得する
ことを特徴とする請求項１０または１１に記載の画像表示装置。
【請求項１３】
前記輝度情報は、前記入力画像データのメタデータであり、
前記第３取得手段は、前記入力画像データから前記輝度情報を取得する
ことを特徴とする請求項１０〜１２のいずれか１項に記載の画像表示装置。
【請求項１４】
入力画像データが対象とする輝度関連値の範囲である第１範囲を表す第１範囲情報を取得する第１取得ステップと、
画像表示の際に対象とされる輝度関連値の範囲であり、且つ、前記第１範囲よりも狭い範囲である第２範囲を表す第２範囲情報を取得する第２取得ステップと、
前記第１範囲情報と前記第２範囲情報に基づいて、入力画像データの各階調値を変換する画像処理を行うことにより、処理画像データを生成する処理ステップと、
前記処理画像データに基づく画像を表示する表示ステップと、
を有し、
前記画像処理は、前記入力画像データの輝度関連値の範囲のうち、前記第２範囲について、前記第２範囲の外側の範囲に比べ、前記処理画像データの階調特性として前記入力画像データの階調特性に近い特性が得られるように、前記入力画像データの各階調値を変更する処理である
ことを特徴とする画像表示装置の制御方法。
【請求項１５】
入力画像データのダイナミックレンジに関する第１範囲情報を取得する第１取得手段と、
表示手段のダイナミックレンジに関する第２範囲情報を取得する第２取得手段と、
前記第１範囲情報と前記第２範囲情報に基づいて、前記入力画像データの各階調値を変換する画像処理を行うことにより、処理画像データを生成する処理手段と、
前記処理画像データに基づく画像を表示する前記表示手段と、
を有し、
前記画像処理において、前記第２範囲情報に対応する第２範囲における入力階調値と、出力階調値との対応関係を表す第１の傾きは、前記第１範囲情報に対応する第１範囲の内側であり、かつ前記第２範囲の外側である範囲における入力階調値と、出力階調値との対応関係を表す第２の傾きよりも大きい
ことを特徴とする画像表示装置。
【請求項１６】
前記第１の傾きは、前記第１範囲／前記第２範囲である
ことを特徴とする請求項１５に記載の画像表示装置。
【請求項１７】
前記第２の傾きはゼロである
ことを特徴とする請求項１５または１６に記載の画像表示装置。
【請求項１８】
前記第２範囲情報は、設定可能な複数の表示モードのうち、設定された表示モードに対応するダイナミックレンジに関する情報である
ことを特徴とする請求項１５〜１７のいずれか１項に記載の画像表示装置。
【請求項１９】
前記第１範囲情報は、光が物体で反射する際の反射率で表現された値を示す
ことを特徴とする請求項１５〜１８のいずれか１項に記載の画像表示装置。
【請求項２０】
前記入力画像データは、撮像装置を用いた撮影によって得られた画像データであり、
前記第１取得手段は、前記撮像装置から前記第１範囲情報を取得する
ことを特徴とする請求項１５〜１９のいずれか１項に記載の画像表示装置。
【請求項２１】
前記第１範囲情報は、前記入力画像データのメタデータであり、
前記第１取得手段は、前記入力画像データから前記第１範囲情報を取得する
ことを特徴とする請求項１５〜２０のいずれか１項に記載の画像表示装置。
【請求項２２】
前記第１範囲情報は、設定可能な複数の入力モードのうち、設定された入力モードに対応するダイナミックレンジに関する情報である
ことを特徴とする請求項１５〜２０のいずれか１項に記載の画像表示装置。
【請求項２３】
前記入力画像データの階調特性を非線形特性から線形特性に変換する変換処理を行う変換手段をさらに有し、
前記処理手段は、前記変換処理後の画像データに前記画像処理を施す
ことを特徴とする請求項１５〜２２のいずれか１項に記載の画像表示装置。
【請求項２４】
入力画像データのダイナミックレンジに関する第１範囲情報を取得する第１取得ステップと、
表示のダイナミックレンジに関する第２範囲情報を取得する第２取得ステップと、
前記第１範囲情報と前記第２範囲情報に基づいて、前記入力画像データの各階調値を変換する画像処理を行うことにより、処理画像データを生成する処理ステップと、
前記処理画像データに基づく画像を表示する表示ステップと、
を有し、
前記画像処理において、前記第２範囲情報に対応する第２範囲における入力階調値と、出力階調値との対応関係を表す第１の傾きは、前記第１範囲情報に対応する第１範囲の内側であり、かつ前記第２範囲の外側である範囲における入力階調値と、出力階調値との対応関係を表す第２の傾きよりも大きい
ことを特徴とする画像表示装置の制御方法。
【手続補正２】
【補正対象書類名】明細書
【補正対象項目名】０００９
【補正方法】変更
【補正の内容】
【０００９】
本発明の第１の態様は、
入力画像データが対象とする輝度関連値の範囲である第１範囲を表す第１範囲情報を取得する第１取得手段と、
画像表示の際に対象とされる輝度関連値の範囲であり、且つ、前記第１範囲よりも狭い範囲である第２範囲を表す第２範囲情報を取得する第２取得手段と、
前記第１範囲情報と前記第２範囲情報に基づいて、入力画像データの各階調値を変換する第１画像処理を行うことにより、第１処理画像データを生成する第１処理手段と、
前記第１処理画像データに基づく画像を表示する表示手段と、
を有し、
前記第１画像処理は、前記入力画像データの輝度関連値の範囲のうち、前記第２範囲について、前記第２範囲の外側の範囲に比べ、前記第１処理画像データの階調特性として前記入力画像データの階調特性に近い特性が得られるように、前記入力画像データの各階調値を変更する処理である
ことを特徴とする画像表示装置である。
本発明の第２の態様は、
入力画像データのダイナミックレンジに関する第１範囲情報を取得する第１取得手段と、
表示手段のダイナミックレンジに関する第２範囲情報を取得する第２取得手段と、
前記第１範囲情報と前記第２範囲情報に基づいて、前記入力画像データの各階調値を変換する画像処理を行うことにより、処理画像データを生成する処理手段と、
前記処理画像データに基づく画像を表示する前記表示手段と、
を有し、
前記画像処理において、前記第２範囲情報に対応する第２範囲における入力階調値と、出力階調値との対応関係を表す第１の傾きは、前記第１範囲情報に対応する第１範囲の内側であり、かつ前記第２範囲の外側である範囲における入力階調値と、出力階調値との対
応関係を表す第２の傾きよりも大きい
ことを特徴とする画像表示装置である。
【手続補正３】
【補正対象書類名】明細書
【補正対象項目名】００１０
【補正方法】変更
【補正の内容】
【００１０】
本発明の第３の態様は、
入力画像データが対象とする輝度関連値の範囲である第１範囲を表す第１範囲情報を取得する第１取得ステップと、
画像表示の際に対象とされる輝度関連値の範囲であり、且つ、前記第１範囲よりも狭い範囲である第２範囲を表す第２範囲情報を取得する第２取得ステップと、
前記第１範囲情報と前記第２範囲情報に基づいて、入力画像データの各階調値を変換する画像処理を行うことにより、処理画像データを生成する処理ステップと、
前記処理画像データに基づく画像を表示する表示ステップと、
を有し、
前記画像処理は、前記入力画像データの輝度関連値の範囲のうち、前記第２範囲について、前記第２範囲の外側の範囲に比べ、前記処理画像データの階調特性として前記入力画像データの階調特性に近い特性が得られるように、前記入力画像データの各階調値を変更する処理である
ことを特徴とする画像表示装置の制御方法である。
本発明の第４の態様は、
入力画像データのダイナミックレンジに関する第１範囲情報を取得する第１取得ステップと、
表示のダイナミックレンジに関する第２範囲情報を取得する第２取得ステップと、
前記第１範囲情報と前記第２範囲情報に基づいて、前記入力画像データの各階調値を変換する画像処理を行うことにより、処理画像データを生成する処理ステップと、
前記処理画像データに基づく画像を表示する表示ステップと、
を有し、
前記画像処理において、前記第２範囲情報に対応する第２範囲における入力階調値と、出力階調値との対応関係を表す第１の傾きは、前記第１範囲情報に対応する第１範囲の内側であり、かつ前記第２範囲の外側である範囲における入力階調値と、出力階調値との対応関係を表す第２の傾きよりも大きい
ことを特徴とする画像表示装置の制御方法である。
【手続補正４】
【補正対象書類名】明細書
【補正対象項目名】００１１
【補正方法】変更
【補正の内容】
【００１１】
本発明の第５の態様は、上述した画像表示装置の制御方法の各ステップをコンピュータに実行させるためのプログラムである。